(57)【要約】【課題】既に視聴予約されている放送番組の放送時間帯と重複した時間帯に放送される別放送番組に視聴予約を変更して設定登録し直すことを可能とするデジタル放送受信機を提供する。【解決手段】受信したＥＰＧに基づいて視聴予約番組を選択して視聴予約情報５ａとしてメモリ部５に設定登録した後、視聴予約情報５ａに設定登録した放送番組を前記ＥＰＧに含まれている放送番組か否かによらず、更に、デジタル放送以外の放送番組であっても、視聴予約情報５ａの前記放送番組の放送時間帯と重複する時間帯に放送される別放送番組であれば、該別放送番組に変更して視聴予約情報５ｂとして設定登録することを可能とする。特に、該別放送番組の放送時間帯が、視聴予約情報５ａの前記放送番組の放送時間帯と全く同一の時間帯の場合、該別放送番組の放送時間帯を改めて設定することなく、該別放送番組の視聴予約を可能とする。【選択図】図１
2005236886.tif 000002
【特許請求の範囲】
【請求項１】
放送番組表データ（ＥＰＧ）を受信することができるデジタル放送受信機において、受信した前記放送番組表データ（ＥＰＧ）に基づいて、視聴予約する放送番組を選択して視聴予約情報として設定登録した後、該視聴予約情報として設定登録した前記放送番組を別放送番組に変更することができることを特徴とするデジタル放送受信機。
【請求項２】
請求項１に記載のデジタル放送受信機において、前記視聴予約情報として設定登録した前記放送番組を、前記放送番組表データ（ＥＰＧ）に含まれている放送番組のうち、前記視聴予約情報として設定登録されている前記放送番組の放送時間帯と重複する時間帯に放送される別放送番組に変更することができることを特徴とするデジタル放送受信機。
【請求項３】
請求項２に記載のデジタル放送受信機において、前記視聴予約情報として設定登録した前記放送番組を変更する前記別放送番組の放送時間帯が、前記視聴予約情報として設定登録されている前記放送番組の放送時間帯と同一の時間帯の場合、前記放送番組表データ（ＥＰＧ）の放送時間帯に関する情報を用いて前記別放送番組の放送時間帯に関する情報を改めて設定し直すことなく、該別放送番組の視聴予約をすることができることを特徴とするデジタル放送受信機。
【請求項４】
請求項１に記載のデジタル放送受信機において、前記視聴予約情報として設定登録されている前記放送番組の放送時間帯と重複する時間帯に放送される別放送番組であれば、前記視聴予約情報として設定登録した前記放送番組を、前記放送番組表データ（ＥＰＧ）に含まれていない前記別放送番組に変更することができることを特徴とするデジタル放送受信機。
【請求項５】
請求項１に記載のデジタル放送受信機において、前記視聴予約情報として設定登録されている前記放送番組の放送時間帯と重複する時間帯に放送される別放送番組であれば、前記視聴予約情報として設定登録した前記放送番組を、デジタル放送以外の放送形態で放送される前記別放送番組に変更することができることを特徴とするデジタル放送受信機。
【請求項６】
請求項４又は５に記載のデジタル放送受信機において、前記視聴予約情報として設定登録した前記放送番組を変更する前記別放送番組の放送時間帯が、前記視聴予約情報として設定登録されている前記放送番組の放送時間帯と同一の時間帯の場合、該別放送番組の放送時間帯に関する情報を改めて設定し直すことなく、該別放送番組の視聴予約をすることができることを特徴とするデジタル放送受信機。
【発明の詳細な説明】
【技術分野】
【０００１】
本発明は、デジタル放送受信機に関する。特に、放送番組の視聴予約の動作を行なうデジタル放送受信機に関する。
【背景技術】
【０００２】
放送番組表データ（ＥＰＧ：Ｅｌｅｃｔｒｏｎｉｃ  Ｐｒｏｇｒａｍ  Ｇｕｉｄｅ）を利用して、該放送番組表データ（ＥＰＧ）に含まれていない放送番組でも視聴予約することができることを特徴とした放送受信装置に関して、以下のような従来例がある。
特許文献１に示す特開２００３−２１９３３１号公報「デジタル／アナログ放送受信装置」によれば、放送データとして送られてくる放送番組表データ（ＥＰＧ）の他に、ユーザが新たに受信チャンネルと放送時間帯とを設定して新たな放送番組を追加して、放送番組表を作成し直すことができるようにされている。ここで、放送番組表データ（ＥＰＧ）を表示する場合、新たに作成し直した放送番組表を表示し、表示された新たな放送番組表に基づいて、視聴予約番組を設定登録することができ、ユーザが新たに追加設定した放送番組に関しても視聴予約を行なうことが可能とされている。
【特許文献１】特開２００３−２１９３３１号公報
【発明の開示】
【発明が解決しようとする課題】
【０００３】
しかしながら、上述の技術においては、新たに受信チャンネルと放送時間帯とを設定して新たな放送番組を追加した放送番組表に基づいて、放送番組の視聴予約を行なうことができるが、当該放送時間帯において重複して放送される他チャンネルの放送番組について変更して視聴予約をしたい要求が発生した場合に、受信している放送番組表データ（ＥＰＧ）を利用して、あるいは、該放送番組表データ（ＥＰＧ）に含まれていない放送番組やデジタル放送以外の放送形態で放送される放送番組について、視聴予約を変更したい別放送番組に、視聴予約情報の登録を設定し直すことができないという問題を有している。
【０００４】
本発明は、そのような状況に鑑みてなされたものであり、デジタル放送受信機が有している機能を有効に活用することにより、既に視聴予約されている放送番組の視聴予約を変更することが可能であり、更に、既に視聴予約されている放送番組の放送時間帯と重複した時間帯に放送される別放送番組に視聴予約を変更して設定登録し直すことを可能とし、特に、既に視聴予約されている放送番組の放送時間帯と全く同一の時間帯に放送される別放送番組に設定を変更する場合には、放送時間帯に関する情報の入力を省略して、視聴予約し直すことも可能とすることを目的としている。
【課題を解決するための手段】
【０００５】
本発明は、かくのごとき課題を解決するための手段を提供するものであり、以下の技術手段から構成されている。即ち、
本発明に係るデジタル放送受信機は、放送番組表データ（ＥＰＧ）を受信することができるデジタル放送受信機において、受信した前記放送番組表データ（ＥＰＧ）に基づいて、視聴予約する放送番組を選択して視聴予約情報として設定登録した後、該視聴予約情報として設定登録した前記放送番組を別放送番組に変更することができることを特徴とする。
【０００６】
また、本発明に係るデジタル放送受信機は、前記視聴予約情報として設定登録した前記放送番組を、前記放送番組表データ（ＥＰＧ）に含まれている放送番組のうち、前記視聴予約情報として設定登録されている前記放送番組の放送時間帯と重複する時間帯に放送される別放送番組に変更することができることを特徴とする。
【０００７】
また、本発明に係るデジタル放送受信機は、前記視聴予約情報として設定登録した前記放送番組を変更する前記別放送番組の放送時間帯が、前記視聴予約情報として設定登録されている前記放送番組の放送時間帯と同一の時間帯の場合、前記放送番組表データ（ＥＰＧ）の放送時間帯に関する情報を用いて前記別放送番組の放送時間帯に関する情報を改めて設定し直すことなく、該別放送番組の視聴予約をすることができることを特徴とする。
【０００８】
また、本発明に係るデジタル放送受信機は、前記視聴予約情報として設定登録されている前記放送番組の放送時間帯と重複する時間帯に放送される別放送番組であれば、前記視聴予約情報として設定登録した前記放送番組を、前記放送番組表データ（ＥＰＧ）に含まれていない前記別放送番組に変更することができることを特徴とする。
【０００９】
また、本発明に係るデジタル放送受信機は、前記視聴予約情報として設定登録されている前記放送番組の放送時間帯と重複する時間帯に放送される別放送番組であれば、前記視聴予約情報として設定登録した前記放送番組を、デジタル放送以外の放送形態で放送される前記別放送番組に変更することができることを特徴とする。
【００１０】
更に、本発明に係るデジタル放送受信機は、前記視聴予約情報として設定登録した前記放送番組を変更する前記別放送番組の放送時間帯が、前記視聴予約情報として設定登録されている前記放送番組の放送時間帯と同一の時間帯の場合、該別放送番組の放送時間帯に関する情報を改めて設定し直すことなく、該別放送番組の視聴予約をすることができることを特徴とする。
【発明の効果】
【００１１】
前述のような各技術手段から構成される本発明に係るデジタル放送受信機によれば、次のごとき効果がもたらされる。
本発明に係るデジタル放送受信機においては、放送信号やインターネットなどを介して受信した放送番組表データ（ＥＰＧ）から視聴予約情報として選択して、放送番組の視聴予約を設定登録した後であっても、該視聴予約情報を別放送番組に変更することが可能であり、一旦視聴予約した放送番組よりも優先して視聴したい別放送番組が発生した場合、優先して視聴したい別放送番組に視聴予約情報を簡単に変更して予約し直すことが可能である。
【００１２】
また、放送番組表データ（ＥＰＧ）に含まれている放送番組、あるいは、放送番組表データ（ＥＰＧ）に含まれていない放送番組であっても、更には、デジタル放送以外の放送形態で放送されている放送番組であっても、一旦視聴予約情報に設定登録した放送番組を、該視聴予約情報の放送番組と放送時間帯が重複する時間帯に放送される別放送番組であれば、該別放送番組に該視聴予約情報を変更することも可能である。即ち、一旦視聴予約した放送番組と放送時間帯が重複する時間帯で放送される放送番組のうち、視聴予約した放送番組よりも優先して視聴したい別放送番組が発生した場合、該別放送番組が、放送番組表データ（ＥＰＧ）に含まれているか否かに関係なく、更には、デジタル放送ではない放送形態であっても、一旦視聴予約情報に設定登録した放送番組を該別放送番組に変更することができ、重複する放送時間帯に優先して視聴したい別放送番組が存在するような事態が発生した場合には、視聴予約情報を該別放送番組に変更して設定登録し直すことができる。
【００１３】
また、視聴予約情報に一旦設定登録した放送番組の視聴予約を変更しようとする別放送番組の放送時間帯が、該視聴予約情報に設定登録されている放送番組の放送時間帯と同一の時間帯の場合、該別放送番組の放送時間帯に関する情報を改めて設定し直すことなく、該別放送番組の視聴予約をすることができ、より迅速に、より簡単な操作で、視聴予約を変更することができる。
【発明を実施するための最良の形態】
【００１４】
本発明に係るデジタル放送受信機は、受信した放送番組表データ（ＥＰＧ）に基づいて、視聴予約する放送番組を選択して視聴予約情報として設定登録した後、該視聴予約情報として設定登録した放送番組を別放送番組に変更することができる。
【００１５】
ここで、前記視聴予約情報として設定登録した放送番組を、放送番組表データ（ＥＰＧ）に含まれている、あるいは、放送番組表データ（ＥＰＧ）に含まれていない放送番組であっても、更には、デジタル放送以外の放送形態で放送される放送番組であっても、前記視聴予約情報として設定登録されている前記放送番組の放送時間帯と重複する時間帯に放送される放送番組であれば、該当する放送番組に変更することができる。
【００１６】
特に、前記視聴予約情報として設定登録した放送番組を変更する前記別放送番組の放送時間帯が、前記視聴予約情報として設定登録されている前記放送番組の放送時間帯と同一の時間帯の場合には、該別放送番組の放送時間帯に関する情報を改めて設定し直すことなく、該別放送番組の視聴予約に変更して視聴予約を行なうことができることを特徴としている。
【００１７】
もって、一旦視聴予約情報として設定登録した放送番組があったとしても、別放送番組に変更することができ、更に、重複する放送時間帯又は全く同一の放送時間帯において優先して視聴したい別放送番組が、放送番組表データ（ＥＰＧ）内にあるか否かによらず、あるいは、デジタル放送であるか否かによらず、存在するような事態が発生した場合には、視聴予約を該別放送番組に迅速かつ簡単に変更することができる。
【００１８】
本発明に係るデジタル放送受信機の実施形態の一例を、図１、図２に基づいて以下に説明する。
図１は、本発明に係るデジタル放送受信機についての実施形態例における構成の一例を機能ブロック構成図に示したものである。
【００１９】
図１に示すデジタル放送受信機１０は、本発明に関連する回路ブロックのみを抽出して示すものであり、放送信号を受信する受信部１と、放送番組や放送番組表データなどを画面表示するＣＲＴや液晶などからなる表示部２と、視聴者が指示情報を入力するリモコンや専用入力装置からなる入力部３と、デジタル放送受信機１０全体を制御する制御部４と、視聴予約した放送番組を設定登録する視聴予約情報などを含む各種情報を記憶するメモリ部５とから構成されている。
【００２０】
図１に示すデジタル放送受信機１０は、放送番組表データ（ＥＰＧ）を放送番組と共に送信されてくる放送データとして受信部１にて受信する場合を示しているが、本発明は、かかる場合のみに限るものではなく、放送番組表データ（ＥＰＧ）を放送データとは別個に受信する場合であっても良く、例えば、インターネットなどを介して受信する場合であっても構わない。受信部１において受信した放送番組表データ（ＥＰＧ）は、一緒に受信される放送番組と分離されて、制御部４に送信される。制御部４は、放送番組表データ（ＥＰＧ）を所定の形式に編集して、最新の放送番組表データ（ＥＰＧ）５ｃとしてメモリ部５のＥＰＧ格納領域５１に上書き記憶していく。
【００２１】
入力部３から、放送番組表データ（ＥＰＧ）の表示要求や視聴予約要求が入力された場合、制御部４は、メモリ部５のＥＰＧ格納領域５１から最新の放送番組表データ（ＥＰＧ）５ｃを読み出して、表示部２に放送番組表データ（ＥＰＧ）２ａとして画面表示する。
【００２２】
ここで、視聴者がデジタル放送の放送番組の視聴予約を設定登録したい場合、入力部３を操作して、表示部２に表示された番組表データ（ＥＰＧ）２ａの中から、視聴者が視聴予約する放送番組を選択することにより、制御部４は、視聴予約すべき放送番組の放送番組名、受信チャンネル番号、放送開始時刻、放送終了時刻を抽出して、抽出した情報をメモリ部５に視聴予約情報５ａとして設定登録する。例えば、図１に示す例においては、視聴予約情報５ａとして、放送開始時刻が７時で終了時刻が７時半の第１チャンネルのニュースを視聴予約情報５ａとして設定登録している。なお、抽出する放送番組名、受信チャンネル、放送開始時刻、放送終了時刻は、メモリ部５に最新の番組表データ（ＥＰＧ）５ｃとしてデジタルデータ化されて記憶されているので、制御部２において容易に抽出することができる。
【００２３】
而して、以降、現在時刻が７時に到達すると、視聴予約情報５ａに登録されている第１チャンネルに受信チャンネルが切り替えられ、第１チャンネルのニュースが、放送終了時刻７時半まで表示部２に画面表示される。しかる後、元の状態に復帰して、デジタル放送受信機１０の電源がオフに戻されたり、あるいは、元の受信チャンネルの放送番組が表示部２に画面表示される。
【００２４】
一方、視聴者が一旦視聴予約した放送番組を他の別放送番組に変更したい場合、即ち、例えば一旦視聴予約した放送番組と放送時間帯が重複しているため、そのままでは、他の別放送番組を視聴予約することができないような事態が発生した場合において、先に視聴予約していた放送番組の視聴予約を取り消して、優先して視聴予約したい別放送番組に視聴予約を簡単に設定登録し直したい場合も生じる。かくのごとく、メモリ部５に一旦設定登録していた視聴予約情報５ａを別放送番組の視聴予約に変更したい場合、視聴者が入力部３から視聴予約変更の指示を入力すると、制御部４は、メモリ部５から視聴予約情報５ａを読み出して、表示部２に視聴予約情報変更２ｂとして画面表示する。図１に示す例においては、７時から７時半に放送予定の第１チャンネルのニュースが、視聴予約情報変更２ｂの変更前の情報として画面表示されている。
【００２５】
表示部２に画面表示された視聴予約情報変更２ｂに基づいて、視聴者が入力部３を操作して、視聴予約の変更に関する情報を入力すると、制御部４は、視聴者から指示された視聴予約変更を示す内容を、表示部２の視聴予約情報変更２ｂに変更後の情報として画面表示する。図１に示す例においては、放送時間帯としては、先に視聴予約していた時間帯と全く同一の７時から７時半に放送予定の第１０チャンネルのアニメーションに予約を変更する指示をしている場合を示している。
【００２６】
表示部２に変更後の視聴予約情報として画面表示された視聴予約情報変更２ｂを確認して、視聴者が、変更実施の指示を入力部３から入力すると、制御部４は、視聴者からの変更指示内容に基づいて、メモリ部５に先に設定登録していた視聴予約情報５ａを書き換えて、変更後の視聴予約情報５ｂに上書きすることにより変更して設定登録し直す。図１に示す例においては、第１チャンネルのニュースが視聴予約されていた視聴予約情報５ａが書き換えられて、変更後の第１０チャンネルのアニメーションを示す視聴予約情報５ｂにメモリ部５が変更して設定される。
【００２７】
ここで、図１に示すように、視聴予約情報５ａとして設定登録されていた第１チャンネルのニュースと全く同一の放送時間帯に放送される第１０チャンネルのアニメーションに、視聴予約を変更する場合には、視聴者は、放送開始時刻や放送終了時刻に関する放送時間帯の情報の入力を省略しても構わなく、変更前と変更後との双方の放送番組に関する差分情報のみを入力すれば良い。
【００２８】
また、視聴者が視聴予約を変更したい放送番組が、放送番組表データ（ＥＰＧ）の中に存在している場合には、視聴者は、入力部３を操作することにより、メモリ部５のＥＰＧ格納領域５１に格納されている最新の放送番組表データ（ＥＰＧ）を表示部２に放送番組表データ（ＥＰＧ）２ａとして画面表示させて、画面表示された放送番組表データ（ＥＰＧ）２ａの中から、視聴予約を変更したい放送番組を別放送番組として選択して指示することも可能である。選択された別放送番組は、表示部２の視聴予約情報変更２ｂに変更後の情報として画面表示され、視聴者の確認操作が入力されることにより、制御部４は、メモリ部５に先に設定登録していた視聴予約情報５ａを書き換えて、変更後の視聴予約情報５ｂを上書きして設定登録し直す。
【００２９】
また、画面表示された放送番組表データ（ＥＰＧ）２ａのうち、変更したい放送番組が、視聴予約情報５ａとして先に設定登録されていた放送番組と全く同一の放送時間帯に放送される放送番組であれば、表示部２に画面表示された番組表データ（ＥＰＧ）２ａの受信チャンネルのみを選択しても良く、放送番組名そのものの選択を省略しても良い。制御部４は、選択された受信チャンネルに基づいて、視聴予約情報５ａに先に登録された放送番組と同一放送時間帯で放送される変更先チャンネルの放送番組名を、メモリ部５の放送番組表データ（ＥＰＧ）５ｃから抽出して、変更後の視聴予約情報５ｂの放送番組名と受信チャンネルとを変更設定することが可能である。なお、変更後の放送番組の放送開始時刻と放送終了時刻とは、変更前の放送番組の時間帯と全く同一であるので、視聴予約情報５ａに設定登録されていた時間帯情報をそのまま用いることができる。
【００３０】
また、視聴者が視聴予約を変更したい放送番組が、放送番組表データ（ＥＰＧ）の中に存在していない放送番組であっても構わなく、表示部２に画面表示された視聴予約情報変更２ｂの変更後の入力欄に、変更したい放送番組の受信チャンネル、放送番組名、放送時間帯に関する情報を、入力部３を操作して入力するようにすれば良い。ここで、視聴予約を変更したい放送番組としては、デジタル放送に限るものではなく、アナログ放送などデジタル放送とは異なる放送形態の放送番組であっても構わない。なお、放送番組表データ（ＥＰＧ）に存在していない放送番組に変更する場合においても、先に視聴予約情報５ａとして設定登録されていた放送番組と全く同じ情報（例えば、放送時間帯など）である場合には、入力部３を操作して改めて再入力する必要はなく、省略することも可能である。
【００３１】
視聴予約情報５ｂに変更して設定登録した後、視聴者が入力部３を操作して、視聴予約している放送番組を示す情報の表示部２への画面表示を指示すると、メモリ部５に設定登録されている視聴予約情報として、変更した後の視聴予約情報５ｂに基づいた視聴予約番組が表示部２に視聴予約情報２ｃとして画面表示されることになる。図１に示す例においては、表示部２に画面表示される視聴予約情報２ｃは、放送時間帯が７時から７時半の変更後の第１０チャンネルのアニメーションが画面表示される。
【００３２】
更に、時刻が経過して、受信チャンネルを変更してメモリ部５の視聴予約情報５ｂに設定登録されている放送番組の放送開始時刻に到達すると、制御部４は、変更した受信チャンネルに自動的に切り替えて、放送信号の受信を開始して、表示部２に視聴予約番組の画面表示を行ない、メモリ部５の視聴予約情報５ｂに設定登録されている放送終了時刻に至るまで、表示部２には変更後の視聴予約番組の画面表示が継続される。
【００３３】
以上のごとき動作を、図２に示す動作フローチャートを用いて更に説明する。ここに、図２は、本発明に係るデジタル放送受信機についての実施形態例における動作の一例を示した動作フローチャートである。
まず、図２の動作開始に先立って、例えば放送データの一部として、予め定められている周期で、送信されてくる番組表データ（ＥＰＧ）を受信部１において周期的に受信して、その都度、メモリ部５のＥＰＧ格納領域５１に最新の放送番組表データ（ＥＰＧ）５ｃとして上書き記憶している。視聴者が、入力部３を操作して視聴予約の指示を行なうと、制御部４は、メモリ部５のＥＰＧ格納領域５１から最新の放送番組表データ（ＥＰＧ）５ｃを読み出して、表示部２に放送番組表データ２ａとして画面表示する（ステップＳ１）。
【００３４】
ここで、表示部２への放送番組表データ（ＥＰＧ）２ａは、メモリ部５のＥＰＧ格納領域５１から最新の放送番組表データ（ＥＰＧ）５ｃを読み出す代わりに、例えば、受信部１において周期的に受信する都度、表示部２へ画面表示するようにしても良く、かくのごとき場合であれば、画面表示された放送番組表データ（ＥＰＧ）２ａに基づいて、視聴者が視聴予約の実施の指示を入力部３から入力するようにしても良い。
【００３５】
次に、表示部２に画面表示された番組表データ（ＥＰＧ）２ａに基づいて、視聴予約を指示する情報を、視聴者が入力部３を用いて選択入力する（ステップＳ２）。視聴予約を指示する情報の入力が終了したか否かを制御部４は入力部３の入力を監視して判定し、視聴予約の指示がまだ終了していない場合には（ステップＳ３のＮＯ）、ステップＳ２に復帰して、視聴予約を指示する情報が入力されるまで待ち合わせる。一方、視聴予約の指示が終了していた場合（ステップＳ３のＹＥＳ）、画面表示された番組表データ（ＥＰＧ）２ａの放送番組の中から選択された視聴予約放送番組に関する放送番組名、受信チャンネル、放送開始時刻、放送終了時刻を抽出して、視聴予約情報５ａとして、メモリ部５に設定登録する（ステップＳ４）。しかる後、設定登録されている視聴予約の時刻に到達した際に、視聴予約情報５ａに基づいた視聴が開始されるように、タイマを設定して視聴予約動作を起動する（ステップＳ５）。
【００３６】
また、一旦視聴予約した放送番組と重複する放送時間帯に放送される他の別放送番組を優先して視聴予約したい事態が発生して、メモリ部５に設定登録している視聴予約情報５ａに関する変更を行ないたい場合、その旨を入力部３から指示すると（ステップＳ１１のＹＥＳ）、メモリ部５から視聴予約情報５ａが読み出されて、表示部２に視聴予約情報変更２ｂとして画面表示される（ステップＳ１２）。ここで、視聴者は、視聴予約情報変更２ｂを参照しながら、視聴予約を変更したい別放送番組に関する情報（放送番組名、受信チャンネル、放送開始時刻と放送終了時刻）を入力部３を介して入力する（ステップＳ１３）。
【００３７】
入力が終了したことを制御部４が検知すると（ステップＳ１４のＹＥＳ）、制御部４は、入力された変更後の視聴予約番組に関する情報を、視聴予約情報５ｂとして編集して、メモリ部５の変更前の視聴予約情報５ａを書き換えて、メモリ部５に設定登録し直す（ステップＳ１５）。しかる後、視聴予約情報５ａに基づいて先に起動されている視聴予約動作を停止して、変更して設定登録されている視聴予約情報５ｂの視聴予約の時刻に到達した際に、視聴予約情報５ｂに基づいた視聴が開始されるように、タイマを設定し直して視聴予約動作を起動する（ステップＳ１６）。
【００３８】
ここで、ステップＳ１３において、変更先の別放送番組が、メモリ部５の最新の放送番組表データ（ＥＰＧ）５ｃの中に存在していて、表示部２の放送番組表データ（ＥＰＧ）２ａとして表示することが可能である場合には、該放送番組を選択するのみで良い。更に、視聴予約情報５ａとして設定登録されている放送番組と同一の放送時間帯であれば、変更先の受信チャンネルのみを選択するようにしても構わない。また、変更先の別放送番組が、最新の放送番組表データ（ＥＰＧ）５ｃに含まれていなく、表示部２の放送番組表データ（ＥＰＧ）２ａとして表示できない場合であっても、また、デジタル放送以外の放送形態で放送される放送番組であっても、視聴予約情報５ａとして一旦設定登録されている放送番組と同一の放送時間帯に放送される他の受信チャンネルの別放送番組に視聴予約を変更したい場合には、変更先の受信チャンネルを放送番組名と共に入力部３から入力すれば良く、放送時間帯に関する情報を入力し直す必要はない。
【００３９】
また、放送時間帯が、設定登録されていた放送番組と全く同一でなくても、放送開始時刻や放送終了時刻のいずれか一方のみでも同じ時刻であれば、同一の時刻については、視聴者は入力を省略することが可能である。
即ち、制御部４は、入力部３を監視して入力が終了したことを検知した際に、入力が省略されている情報に関しては、先に設定登録している視聴予約情報５ａの情報と全く同一であるものと判定して、変更後の視聴予約情報５ｂとして編集することが可能であり、視聴者の入力操作の手間を軽減可能としている。
【００４０】
更に説明すれば、視聴予約情報５ａとして一旦設定登録されている視聴予約番組の変更先となる別放送番組としては、放送番組表データ（ＥＰＧ）２ａとして画面表示されている放送番組のうち、任意の放送番組を選択して変更して設定登録し直すことも可能であり、また、放送番組表データ（ＥＰＧ）２ａとして画面表示されないような放送番組についても、また、デジタル放送として放送される放送番組以外の他の放送番組についても、任意の放送番組に変更して設定登録し直すことが可能である。ここで、視聴予約情報５ａに設定登録されている情報と全く同一の情報については、変更後の視聴予約情報として再度入力し直す必要はなく、省略することも可能であり、例えば、視聴予約情報５ａとして既に設定登録されている放送番組の放送時間帯と全く同一の時間帯にある別放送番組に変更する場合には、放送時間帯に関する情報を入力する必要はない。省略された情報に関しては、制御部４において、メモリ部５に先に設定登録されている変更対象の視聴予約情報５ａを変更することなくそのまま用いて新たに変更後の視聴予約情報５ｂとして視聴予約を行なうことになる。
【００４１】
なお、変更された後の視聴予約情報５ｂは、視聴者が入力部３を介して表示要求を行なうと、制御部４により、表示部２に視聴予約情報２ｃとして画面表示することができるので、変更前の視聴予約情報５ａが消去されていることと、変更された後の視聴予約情報５ｂの内容とを、視聴者が確実に確認することができる。
【００４２】
かくのごとく、変更して視聴予約情報５ｂとして設定登録されている状態で、時刻が経過して、視聴予約情報５ｂに設定登録されている放送番組の放送開始時刻に到達すると（ステップＳ２１のＹＥＳ）、制御部４は、場合によっては電源投入を行なった後（ステップＳ２２）、受信チャンネルを視聴予約情報５ｂに設定登録されているチャンネルに切り替えて（ステップＳ２３）、視聴予約番組の放送データを表示部２に画面表示する動作を開始する（ステップＳ２４）。しかる後、該視聴予約情報５ｂに設定登録されている放送終了時刻に到達すると（ステップＳ２５のＹＥＳ）、視聴予約していた受信チャンネルの放送データの表示部２への画面表示を終了して、元の状態に復旧し（ステップＳ２６）、元の受信チャンネルに復帰するか、あるいは、場合によっては、電源を切断する。
【００４３】
なお、視聴予約情報５ａ，５ｂに設定登録されている放送開始時刻に到達した際、あるいは、該放送開始時刻に先立つ予め定めた時刻（例えば５分前）に到達した際に、視聴者に対して、視聴予約番組の視聴開始時刻に到達した旨、あるいは、到達間近の時刻に至っている旨の警告表示を音声やランプなどで出力することを可能にしても良い。
【図面の簡単な説明】
【００４４】
【図１】本発明に係るデジタル放送受信機についての実施形態例における構成の一例を示した機能ブロック構成図である。
【図２】本発明に係るデジタル放送受信機についての実施形態例における動作の一例を示した動作フローチャートである。
【符号の説明】
【００４５】
１…受信部、２…表示部、２ａ…番組表データ（ＥＰＧ）、２ｂ…視聴予約情報変更、２ｃ…視聴予約情報、３…入力部、４…制御部、５…メモリ部、５ａ，５ｂ…視聴予約情報、５ｃ…番組表データ（ＥＰＧ）、１０…デジタル放送受信機、５１…ＥＰＧ格納領域。
【図１】
2005236886.tif 000003
【図２】
2005236886.tif 000004